(57)【特許請求の範囲】
【請求項１】
表面シートと、裏面シートと、これらシート間に配された吸収構造体とを備えた縦長の吸収性物品であって、
前記表面シート及び前記裏面シートは、少なくとも長手方向に伸縮性を有しており、
前記吸収構造体は、個々に独立した多数のブロック状吸収部を備え、
多数の前記ブロック状吸収部は、長手方向に間欠的に配されて幅方向に多数の吸収部列を形成しており、
多数の前記ブロック状吸収部それぞれは、繊維材料と高吸収性ポリマーとを有し、
多数の前記ブロック状吸収部は、前記裏面シート側に該ブロック状吸収部が強く固定されている強固定領域及び該ブロック状吸収部が弱く固定されているか、あるいは固定されていない弱固定領域を形成しており、
前記強固定領域は、前記吸収性物品の長手方向の両側縁部それぞれに形成され、
前記弱固定領域における多数の前記ブロック状吸収部は、前記弱く固定されている場合、着用中の歩行動作により前記裏面シート側への固定が外れるよう弱く固定されている吸収性物品。
【請求項２】
前記強固定領域が、前記吸収性物品の幅方向の中央部にも形成されている請求項１に記載の吸収性物品。
【請求項３】
前記強固定領域は、該強固定領域の前記ブロック状吸収部を前記裏面シート側からシールすることにより該裏面シート側に強く固定して形成されている請求項１又は２に記載の吸収性物品。
【請求項４】
前記吸収性物品は、前記裏面シートの非肌対向面に下着に取り付けるための本体粘着部を備え、
前記本体粘着部は、前記吸収性物品の少なくとも長手方向の両側縁部それぞれに位置する前記強固定領域に対応する位置に形成されている請求項１〜３の何れか１項に記載の吸収性物品。
【請求項５】
請求項１〜４の何れか１項に記載の吸収性物品を着用し、着用中の体液吸収と、歩行動作等の運動により、前記吸収性物品の弱固定領域のブロック状吸収部の固定を外し、該ブロック状吸収部を該吸収性物品の排泄部領域に寄せ集める吸収性物品の使用方法。
【発明の詳細な説明】
【技術分野】
【０００１】
本発明は、生理用ナプキン、パンティライナー（おりものシート）、失禁パッド等の吸収性物品（女性用吸収性物品）に関する。
【背景技術】
【０００２】
吸収性物品は、パンツ型のオムツも含めて、表面シート、裏面シート、及びこれらシート間に配された吸収体を具備した平面のパッドを基本形として形成されている。該吸収性物品が身体に着用され、所定の吸収性・着用快適性を発揮する為には、該吸収性物品が身体の立体曲面通りに変形してフィットすること、及び身体の動作変形に追従して変形回復可能であることが望まれる。しかし、一般的に、吸収性物品の有する吸収体は吸収性物品の就中、剛性が高いものであり、曲面形状にきめ細かく変形することが難しい。特に生理用ナプキンを着用する際、生理用ナプキンにおける着用者の液排出部（膣口等）に対向配置される領域を盛り上げ、着用者の体型に合うように湾曲させることが難しい。例えば、特許文献１には、体液排出口に対する密着性を上げて漏れを防止する観点から、表面シートと裏面シートとの間に介在する吸収体が、表面側に隆起する中高部を有している生理用ナプキンが記載されている。
【０００３】
しかし特許文献１に記載の生理用ナプキンは、吸収体が予め決められた形で表面側に隆起する中高部を有しているため、着用者の体型に合わず、着用時に違和感を生じる場合がある。また、特許文献１に記載の生理用ナプキンの着用時に、体液排出口から吸収体の中高部がずれると、漏れを生じてしまう場合がある。
【０００４】
ところで、本出願人は先に、伸縮性吸収体を提案した（特許文献２参照）。特許文献２に記載の伸縮性吸収体によれば、着用者の体型への適合性及び動作追従性に優れ、伸縮に起因する吸収性能の低下が起こりづらい。しかし、特許文献２には、特許文献２に記載の伸縮性吸収体を用いた吸収性物品に関し、伸縮性吸収体と吸収性物品を構成する裏面シートとの固定位置や固定強度について何ら記載されていない。
【先行技術文献】
【特許文献】
【０００５】
【特許文献１】特開２０１０−１３１１０１号公報
【特許文献２】特開２００９−１３６４９８号公報
【発明の概要】
【発明が解決しようとする課題】
【０００６】
従って、本発明の課題は、前述した従来技術が有する欠点を解消し得る吸収性物品を提供することにある。
【課題を解決するための手段】
【０００７】
本発明は、表面シートと、裏面シートと、これらシート間に配された吸収構造体とを備えた縦長の吸収性物品であって、
前記表面シート及び前記裏面シートは、少なくとも長手方向に伸縮性を有しており、前記吸収構造体は、個々に独立した多数のブロック状吸収部を備え、多数の前記ブロック状吸収部は、長手方向に間欠的に配されて幅方向に多数の吸収部列を形成しており、多数の前記ブロック状吸収部それぞれは、繊維材料と高吸収性ポリマーとを有し、多数の前記ブロック状吸収部は、前記裏面シート側に該ブロック状吸収部が強く固定されている強固定領域及び該ブロック状吸収部が弱く固定されている弱固定領域を形成しており、前記強固定領域は、前記吸収性物品の長手方向の両側縁部それぞれに形成されている吸収性物品を提供するものである。
【発明の効果】
【０００８】
本発明の吸収性物品によれば、着用時に違和感を生じ難く、使用中に漏れが生じ難い。
【図面の簡単な説明】
【０００９】
【図１】図１は、本発明の第１実施形態である生理用ナプキンを表面シート側から見た一部破断平面図である。
【図２】図２は、本発明の第１実施形態である生理用ナプキンを裏面シート側から見た平面図である。
【図３】図３は、図１のＸ１−Ｘ１線断面図である。
【図４】図４は、図１に示す生理用ナプキンの使用中に弱固定領域のブロック状吸収部が排泄部領域に集まる説明をするための説明図である。
【図５】図５は、本発明の第２実施形態である生理用ナプキンを表面シート側から見た一部破断平面図である（図１相当図）。
【図６】図６は、図５のＸ２−Ｘ２線断面図である（図３相当図）。
【図７】図７（ａ）〜（ｃ）は、フィラー入りの裏面シートを用いた生理用ナプキンの使用中に弱固定領域のブロック状吸収部が排泄部領域に集まる説明をするための説明図である。
【発明を実施するための形態】
【００１０】
以下本発明をその好ましい実施形態に基づき図面を参照しながら説明する。
本発明の吸収性物品の第１実施形態である生理用ナプキン１Ａ（以下、ナプキン１Ａともいう）は、図１〜図２に示すように、液透過性の表面シート２と、液難透過性の裏面シート３と、これら両シート２，３間に配された吸収構造体４とを備えた縦長の本体部５を有する。本発明における液難透過性の裏面シート３は、着用者から排泄される経血や尿などの排泄物を吸収構造体４で吸収し、裏面シート３で液防漏性を有する必要があることから、液不透過性、撥水性などのシートが好ましい。
ナプキン１Ａは、図１に示すように、ナプキン１Ａの長手方向に延びる中心線ＣＬに対して左右対称に形成されている。
本明細書において、「肌対向面」とは、本体部５などの各部材の表裏両面のうち、着用時に着用者の肌側に配される面であり、「非肌対向面」とは、本体部５などの各部材の表裏両面のうち、着用時に着用者の肌側とは反対側に向けられる面である。
【００１１】
本体部５は、図１中Ｙ方向に長い形状を有し、裏面シート３の非肌対向面に、該本体部５を、下着のクロッチ部（不図示）の肌対向面（着用者の肌側に向けられる面）に固定するための本体粘着部６（図２参照）が形成されている。ここで、図中のＹ方向とは、ナプキン１Ａ又は本体部５の長手方向と同方向であり、中心線ＣＬに平行な方向である。また、図中のＸ方向とは、ナプキン１Ａ又は本体部５の幅方向と同方向であり、中心線ＣＬに垂直な方向である。
【００１２】
本体部５は、図１に示すように、着用者の液排出部（膣口等）に対向配置される領域である排泄部領域Ａ、ナプキン１Ａの着用時に排泄部領域Ａより着用者の腹側に配される前方領域Ｂ、及びナプキン１Ａの着用時に排泄部領域Ａよりも着用者の背中側に配される後方領域Ｃを有している。ここで、「排泄部領域Ａ」とは、ナプキン１Ａのように、所謂ウイング部を有していない場合には、生理用ナプキンが個装形態に折り畳まれた際に生じるＹ方向に直交する２つの折り線で囲まれた領域を意味し、生理用ナプキンの製品長が長く３つの折線が生じる場合には、Ｙ方向の前端から数えて第１折り線と第２折り線とに囲まれた領域、又はＹ方向の前端から数えて第１折り線と第３折り線とに囲まれた領域を意味する。尚、所謂ウイング部を有している場合には、「排泄部領域Ａ」とは、ウイング部の位置する領域を意味する。
【００１３】
本体部５は、図３に示すように、表面シート２、裏面シート３及びこれら両シート２，３間に配された液保持性の吸収構造体４を具備する。表面シート２及び裏面シート３は、何れも、図１〜図２に示すように、本体部５の長手方向（Ｙ方向）に長い縦長の形状を有しており、ナプキン１Ａにおいては、表面シート２と裏面シート３とが同形同大に形成されている。
【００１４】
表面シート２は、図１に示すように、本体部５の排泄部領域Ａ、前方領域Ｂ及び後方領域Ｃそれぞれにおいて、本体部５の輪郭と一致する輪郭を有している。裏面シート３も、表面シート２と同様に、図１に示すように、本体部５の排泄部領域Ａ、前方領域Ｂ及び後方領域Ｃそれぞれにおいて、本体部５の輪郭と一致する輪郭を有している。
【００１５】
ナプキン１Ａにおいては、図１に示すように、表面シート２と裏面シート３とが、吸収構造体４の肌対向面及び非肌対向面を被覆しており、吸収構造体４の周縁から延出した部分が熱エンボス加工によって接合されて、ナプキン１Ａの周縁部に周縁シール部７を形成している。
尚、ナプキン１Ａにおいては、周縁シール部７が熱エンボス加工により形成されているが、超音波シールにより形成されていてもよく、ホットメルト等の接着剤等により形成されていてもよい。周縁シール部７は、太股部や臀部の着用感向上の観点から、ホットメルト接着剤、及び、図１の如く格子状又は線状の熱エンボスを併用して形成されていることが好ましい。
【００１６】
表面シート２は、少なくとも長手方向（Ｙ方向）に伸縮性を有するものであり、長手方向（Ｙ方向）及び幅方向（Ｘ方向）の２方向に伸縮性を有するものであることが好ましく、あらゆる方向に伸縮性を有するものであることが更に好ましく、ナプキン１Ａにおいては、あらゆる方向に伸縮性を有するシートを用いている。
【００１７】
ナプキン１Ａの表面シート２としては、熱収縮性繊維を含む第１繊維層と、実質的に熱収縮しない繊維又は前記熱収縮性繊維の収縮開始温度では実質的に熱収縮しない繊維を含む第２繊維層とを積層して部分的に接合させた後、熱風処理により、第１繊維層を収縮させて得た凹凸シート（図３参照）を用いている。この凹凸シート（表面シート２）においては、第２繊維層が、第１繊維層との接合部以外の部分において突出して凸部２１を形成している一方、前記接合部が凹部２２を形成しており、ナプキン１Ａにおいては、凹凸シート（表面シート２）における第２繊維層側を、着用者の肌に向けて使用している。熱収縮性繊維は、潜在捲縮性繊維が好ましい。このような凹凸シート（表面シート２）としては、特開２００２−１８７２２８号公報、特開２００３−２５０８３６号公報、特開２００４−１６６８４９号公報、特開２００４−２０２８９０号公報等に記載のものを用いることがでる。
【００１８】
裏面シート３も、少なくとも長手方向（Ｙ方向）に伸縮性を有するものであり、長手方向（Ｙ方向）及び幅方向（Ｘ方向）の２方向に伸縮性を有するものであることが好ましく、あらゆる方向に伸縮性を有するものであることが更に好ましく、ナプキン１Ａにおいては、あらゆる方向に伸縮性を有するシートを用いている。ナプキン１Ａの裏面シート３としては、液難透過性又は撥水性のオレフィン系エラストマーフィルム、液難透過性又は撥水性のウレタン系エラストマーフィルム、立体エンボス加工した液難透過性又は撥水性のフィルム等を用いることができる。
【００１９】
吸収構造体４は、図１，図３に示すように、個々に独立した多数のブロック状吸収部４１を備えている。ブロック状吸収部４１は、ナプキン１Ａにおいては、図１，図２に示すように、平面視して、長手方向（Ｙ方向）に長い矩形状に形成されている。尚、ナプキン１Ａのブロック状吸収部４１は、矩形状に形成されているが、平面視の形状はこれに限られず、円形状、楕円形状、菱形状、三角形状等の形状であってもよく、これらの形状を２種以上組み合わせたものであってもよい。
【００２０】
各ブロック状吸収部４１は、使用中の可動性，フィット性，吸収量確保の観点から、長手方向（Ｙ方向）の長さＬ１（図１参照）が２０ｍｍ以下であることが好ましく、５〜１５ｍｍであることが更に好ましい。
同様な観点から、各ブロック状吸収部４１は、幅方向（Ｘ方向）の長さＷ１（図１参照）が１５ｍｍ以下であることが好ましく、５〜１２ｍｍであることが更に好ましい。
尚、長手方向（Ｙ方向）の長さとは、ブロック状吸収部４１の最も長い位置での長さであり、幅方向（Ｘ方向）の長さも、ブロック状吸収部４１の最も長い位置での長さである。
また、同様な観点から、各ブロック状吸収部４１は、排泄部領域Ａにおいては、その高さが１.５〜２０ｍｍであることが好ましく、２〜１２ｍｍであることが更に好ましい。
【００２１】
各ブロック状吸収部４１は、繊維材料と高吸収性ポリマーとを有している。
ブロック状吸収部４１を構成する繊維材料としては、木材パルプ、コットン、麻などの天然繊維、ポリエチレンやポリプロピレンなどのポリオレフィン系樹脂、ポリエチレンテレフタレート等のポリエステル系樹脂、ポリビニルアルコール樹脂等の合成樹脂からなる単繊維、これらの樹脂を２種以上含む複合繊維、アセテートやレーヨンなどの半合成繊維を用いることができる。合成樹脂からなる繊維を用いる場合、該繊維は熱によって形状が変化する熱収縮繊維であってもよい。吸収性の観点から、繊維材料の量は、１２０〜４５０ｇ／ｍ2であることが好ましく、１５０〜３５０ｇ／ｍ2であることが更に好ましい。
【００２２】
ブロック状吸収部４１を構成する高吸収性ポリマーとしては、自重の５倍以上の体液を吸収・保持でき、かつゲル化し得るものが好ましい。形状は特に問わず、球状、塊状、ブドウ状、粉末状又は繊維状であり得る。好ましくは大きさが１〜１０００μｍ、より好ましくは１０〜５００μｍの粒子状のものである。吸収性の観点から、このような高吸収性ポリマーの量は、４〜２５０ｇ／ｍ2であることが好ましく、２０〜１００ｇ／ｍ2であることが更に好ましい。高吸収性ポリマーの例としては、デンプンや架橋カルボキシルメチル化セルロース、アクリル酸又はアクリル酸アルカリ金属塩の重合体又は共重合体等、ポリアクリル酸及びその塩並びにポリアクリル酸塩グラフト重合体を挙げることができる。ポリアクリル酸塩としては、ナトリウム塩を好ましく用いることができる。また、アクリル酸にマレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート又はスチレンスルホン酸等のコモノマーを高吸収性ポリマーの性能を低下させない範囲で共重合させた共重合体も好ましく使用し得る。
【００２３】
多数のブロック状吸収部４１は、図１，図２に示すように、長手方向（Ｙ方向）に間欠的に配されて幅方向（Ｘ方向）に多数の吸収部列４１ｆを形成している。図１に示すように、吸収部列４１ｆは、長手方向（Ｙ方向）に１０〜３５個のブロック状吸収部４１が間欠的に配されて形成されている。長手方向（Ｙ方向）に隣り合うブロック状吸収部４１同士の間隔は、１〜５ｍｍであることが好ましい。このように形成される吸収部列４１ｆが、幅方向（Ｘ方向）に６〜１６個間欠的に配されて吸収構造体４を形成している。幅方向（Ｘ方向）に隣り合うブロック状吸収部４１同士の間隔は、０.５〜５ｍｍであることが好ましい。
ナプキン１Ａにおいては、隣り合う別の吸収部列４ｆを形成する幅方向（Ｘ方向）に隣り合うエンボス部４１，４１同士が、幅方向（Ｘ方向）から見て重なっており、吸収部列４ｆを形成する多数のブロック状吸収部４１と、隣り合う別の吸収部列４ｆを形成する多数のブロック状吸収部４１とが半ピッチずつズレて規則的なパターンで配されている。多数のブロック状吸収部４１の配置パターンは、前記パターンに限られず、例えば、吸収部列４ｆを形成する多数のブロック状吸収部４１と、隣り合う別の吸収部列４ｆを形成する多数のブロック状吸収部４１がズレてない規則的なパターンで配されていてもよく、ランダムなパターンで配されていてもよい。
【００２４】
このように多数のブロック状吸収部４１を配して形成された吸収構造体４は、例えば、繊維材料及び高吸収性ポリマーを均一に混合積層したシート状の積層体を、公知の切断手段を用いて多数のブロック状吸収部４１の形状に合わせてカットすることにより形成することができ、また、公知の切断手段を用いて、多数のブロック状吸収部４１の形状に合わせてパターン積層することにより形成することができる。
【００２５】
多数のブロック状吸収部４１は、図１，図３に示すように、裏面シート３側にブロック状吸収部４１が強く固定されている強固定領域ＳＴ及びブロック状吸収部４１が弱く固定されている弱固定領域ＷＴを形成しており、強固定領域ＳＴは、ナプキン１Ａの長手方向（Ｙ方向）の両側縁部５ｓ，５ｓそれぞれに形成されている。このように形成されているため、弱固定領域ＷＴの多数のブロック状吸収部４１が、使用中に排泄部領域Ａに集まるようになっている。詳述すると、ナプキン１Ａにおいては、ナプキン１Ａの長手方向（Ｙ方向）の両側縁部５ｓ，５ｓそれぞれに位置する吸収部列４１ｆｓのブロック状吸収部４１が、裏面シート３に直接強く固定されており、強固定領域ＳＴが、ナプキン１Ａの長手方向（Ｙ方向）の側縁部５ｓに沿って両側縁部５ｓ，５ｓそれぞれに形成されている。尚、「ブロック状吸収部４１が弱く固定されている」とは、強固定領域ＳＴを形成するブロック状吸収部４１の固定よりも弱く固定されていることを意味し、ブロック状吸収部４１が裏面シート３側に固定されていないことを含む意味である。
【００２６】
更に、図１，図３に示すように、ナプキン１Ａにおいては、強固定領域ＳＴが、ナプキン１Ａの幅方向（Ｘ方向）の中央部５ｅにも形成されている。詳述すると、図１，図３に示すように、ナプキン１Ａの幅方向（Ｘ方向）の中央部５ｅに位置する吸収部列４１ｆｃにおいても、排泄部領域Ａに位置するブロック状吸収部４１が、裏面シート３に強く固定されている。ナプキン１Ａにおいては、中央部５ｅに位置する２列の吸収部列４１ｆｃを形成する多数のブロック状吸収部４１全てが、裏面シート３に直接強く固定されている。即ち、強固定領域ＳＴが、ナプキン１Ａの幅方向（Ｘ方向）の中央部５ｅに中心線ＣＬに沿って形成されている。尚、ナプキン１Ａにおいては、吸収部列４１ｆｃを形成する多数のブロック状吸収部４１全てが、裏面シート３に直接強く固定されているが、使用中に弱固定領域ＷＴの多数のブロック状吸収部４１を排泄部領域Ａに更に集める観点から、吸収部列４１ｆｃにおける排泄部領域Ａに位置するブロック状吸収部４１のみが裏面シート３側に強く固定されていることが好ましい。本実施形態では、強固定領域ＳＴのブロック状吸収部４１は、直接裏面シート３に固定されている。
【００２７】
ナプキン１Ａにおいては、弱固定領域ＷＴとは、ナプキン１Ａの両側縁部５ｓ，５ｓに形成されている強固定領域ＳＴと、ナプキン１Ａの中央部５ｅに形成されている強固定領域ＳＴとを除く領域のことである。ナプキン１Ａにおいては、弱固定領域ＷＴにおける多数のブロック状吸収部４１は、裏面シート３側に固定されていない。
【００２８】
本発明の吸収性物品において、着用中の歩行動作により、弱固定領域ＷＴのブロック状吸収部４１の固定を外し、ブロック状吸収部４１を排泄部領域Ａに寄せ集め、着用時にフィット性の高い中央領域が形成されるのは以下の理由による。
弱固定領域ＷＴのブロック状吸収部４１の固定外れは、体液吸収による濡れと、歩行等の運動による主に裏面シート３側の歪み、の両方が関与する。以下に詳述する。
尚、外れた弱固定領域ＷＴのブロック状吸収部４１が排泄部領域Ａに寄せ集められる機構、及び該ブロック状吸収部４１が濡れた排泄部領域Ａ（中央）に留まって再固定され、中高な形状を安定的に形成する機構は、段落〔００３９〕に詳述する。
【００２９】
第１に、後述の如く（段落〔００３６〕の記載参照）強固定領域ＳＴのブロック状吸収部４１が高坪量の接着剤（即ちビード状又はスパイラル状のホットメルト粘着剤全面塗工等）と熱エンボス等のシールによって裏面シート３側から強固に固定され、湿潤状態でも外れないのに対して、弱固定領域ＷＴのブロック状吸収部４１は、段落〔００２７〕に示すように元々固定されていないか、或いは後述の如く（段落〔００４３〕〜〔００４７〕の記載参照）、ブロック吸収部４１と裏面シート３との間に、接着剤が部分的に存在するが、シールなどの異なる接着手段が併用されない。
このように、強固定領域ＳＴにおいて、ブロック状吸収部４１は裏面シート３と熱的に強固に接着されているのに対し、弱固定領域ＷＴにおいては固定がなされないか、或いは接着剤のタック力のみよって弱く接着されている。特に後述するような接着剤では、接着剤のタック力は、湿潤時には急激に失われ殆ど０となるため、体液吸収時には、液が拡がった領域の弱固定領域ＷＴのブロック状吸収部４１は裏面シート３に対して動きやすい状態となる。
【００３０】
第２に、ナプキン１が裏面シート３側で下着に固定され、下着と共に動作・変形する為、変形力や歪みは裏面シート３を介して直接ブロック状吸収部４１に伝わる。従って（特に濡れてブロック状吸収部４１―裏面シート３間接着力が殆どなくなっている場合において）、あらゆる動作によるナプキン１の変形は、該ブロック状吸収部４１を浮き上がらせ、固定が外れる要因となりえる。
【００３１】
典型的な例として、歩行動作においては、着用者の左右の脚が前後に交互に動く為、ショーツに固定されたナプキン１には、対角線に沿った外方にむけた応力が加わり易く、左右がクロスするように交互に引張りと収縮を繰り返しながら、ブロック状吸収部４１に歪が加わり、特に伸長時に弱固定領域ＷＴのブロック状吸収部４１の固定が外れて、収縮時に着用者の歩行動作とあいまって、固定が外れたブロック状吸収部４１が排泄部領域Ａによせ集められて中高な中央部が形成される。そこに排泄液が吸収されると、中央に寄せられたブロック状吸収部４１はポリマーなどの発現した粘着力で、中央部に再固定され、中高な形状が一層安定的に形成される。特に、強固定領域ＳＴが、吸収性物品長手方向（Ｙ方向）の両側縁部５ｓ，５ｓに形成されているため、該領域ＳＴのブロック状吸収部４１が、外れたブロック吸収体を中央に掃き寄せることに寄与する。このような現象は、歩行動作を行う動的モデルに着用して確認できる。
【００３２】
上述した観点より、ブロック状吸収部４１と裏面シート３との接合強度は、湿潤時の接合強度を測定することが好ましいが、乾燥時の強度とも相関があるため、乾燥時強度で代用することも可能である。強固定領域ＳＴにおけるブロック状吸収部４１と裏面シート３との接合強度（乾燥状態）は、８２ｃＮ／ｃｍ以上であることが好ましく、９８〜４４０ｃＮ／ｃｍであることが更に好ましい。また、弱固定領域ＷＴの接合強度（乾燥状態）は、２００ｃＮ／ｃｍ以下であることが好ましく、９８ｃＮ／ｃｍ以下であることが更に好ましい。
一方、強固定領域ＳＴにおけるブロック状吸収部４１と裏面シート３との接合強度（湿潤状態）は、６４ｃＮ／ｃｍ以上であることが好ましく、７２〜４４０ｃＮ／ｃｍであることが更に好ましい。また、弱固定領域ＷＴの接合強度（湿潤状態）は、９８ｃＮ／ｃｍ以下であることが好ましく、４９ｃＮ／ｃｍ以下であることが更に好ましい。
【００３３】
これら接合強度の測定方法は、サンプルをブロック状吸収部４１の幅に合わせて切り出し、
表面シート２等の他の要素を取り外して、ブロック状吸収部４１と裏面シート３部分（測定対象部分）を取り出して試験片とする。後述する所定の前処理を施した後、ブロック状吸収部４１を上側、裏面シート３側を下側にしてオリエンテック（株）製のテンシロン引張試験機にはさみ、測定速度１００ｍｍ／分でＴ剥離強度を測定する。測定結果を試験片の幅（ｃｍ）で割って、単位幅当り接合強度（ｃＮ／ｃｍ）とする。
ここで、ブロック状吸収部４１のブロック毎の長さが短くてテンシロンにうまく挟めない場合、ブロック上面に同じ幅のガムテープ等を貼り付けて、該ガムテープ先端を挟むなどの方法で、所望の界面の接着力が測定できるように工夫してもよい。
【００３４】
また、乾燥状態の接着力は、ナプキン１から取り出した試験片をそのまま測定に供し、一方湿潤状態の接着力は、試験片に生理食塩水を流下して十分濡らして１分以上経過後、ペーパータオルを上面（ブロック状吸収部４１）側から軽く押し付けて余分な水分を除去して、同様に強度測定を行う。測定はいずれもＮ＝３平均とし、特に湿潤状態の測定は、濡らして１分後直ちに測定に入れるよう工夫する。尚、ブロック状吸収部４１がペーパータオル側に付いて外れてしまう程接着性に乏しい場合、湿潤接合強度は０としてよい。
また、後述するように、ブロック状吸収部４１が直接裏面シート３と接着しておらず、別の基板シートと結合している場合もある。その場合は同様の考え方で、ブロック状吸収部４１―基板シート間の接着力を測定すればよい。
当該接合強度は、事前観察で接合強度の強い領域のブロックと弱い領域のブロックを選択して測定することによって強固定領域ＳＴ、弱固定領域ＷＴの接合強度が得られる。事前観察で強度の違いが明瞭に判別不能な場合は、ブロック列ごとに試験片を作成して各列の乾燥／湿潤接着力を測定し、最も大きい部位を強固定、最も小さい部位を弱固定とする。本来的には接着剤塗工パターン、及び異なる固定手段併用の有無をも観察することによって、容易に判別可能な筈である。
【００３５】
弱固定領域ＷＴの多数のブロック状吸収部４１を使用中に排泄部領域Ａに集まるようにする観点から、裏面シート３側に強く固定されているブロック状吸収部４１の割合（強固定領域ＳＴ）は、吸収構造体４を構成する全ブロック状吸収部４１（強固定領域ＳＴと弱固定領域ＷＴとの合計、又は吸収構造体４の表面積）の３０％以上であることが好ましく、３５〜６５％であることが更に好ましい。
【００３６】
ナプキン１Ａにおいては、強固定領域ＳＴは、強固定領域ＳＴのブロック状吸収部４１を裏面シート３側からシールすることにより裏面シート３側に強く固定して形成されている。具体的には、ナプキン１Ａの強固定領域ＳＴの多数のブロック状吸収部４１は、図３に示すように、裏面シート３側からシールされることにより裏面シート３側に強く固定されている。多数のブロック状吸収部４１を裏面シート３側に強く固定するには、表面シート２側からシールしてもよいし、裏面シート３側からシールしてもよいが、シール後のシール部の肌触りの観点から、表面シート２との合体前に裏面シート３側からシールしてシール部８を形成することが最も好ましい。シール方法としては、熱エンボス、超音波シール等が挙げられる。ナプキン１Ａにおいては、図１，図３に示すように、裏面シート３側からシールを連続して線状に施して吸収部列４１ｆを形成する多数のブロック状吸収部４１を裏面シート３に強く固定しているが、吸収部列４１ｆを形成する多数のブロック状吸収部４１毎に裏面シート３側からドット状のシールを施してブロック状吸収部４１を裏面シート３に強く固定してもよい。ブロック状吸収部の位置に合わせてやすく、弱固定領域ＷＴの多数のブロック状吸収部４１を排泄部領域Ａに効率的に集める観点から、図１の如く線状にシールを施す方が好ましい。ナプキン１Ａにおいては、線状のシール部８が、ナプキン１Ａの長手方向（Ｙ方向）の側縁部５ｓに沿って両側縁部５ｓ，５ｓそれぞれに形成されており、更にナプキン１Ａの幅方向（Ｘ方向）の中央部５ｅに中心線ＣＬに沿って形成されている。
【００３７】
ナプキン１Ａの備える本体粘着部６は、図２に示すように、少なくともナプキン１Ａの長手方向（Ｙ方向）の両側縁部５ｓ，５ｓそれぞれに位置する強固定領域ＳＴに対応する位置に形成されている。具体的には、本体粘着部６は、両側縁部５ｓ，５ｓそれぞれに位置する強固定領域ＳＴの吸収部列４１ｆｓに形成されている。ナプキン１Ａにおいては、図２に示すように、ナプキン１Ａの両側縁部５ｓ，５ｓに位置する裏面シート３の肌対向面に配されている吸収部列４１ｆｓに対応して、ナプキン１Ａの両側縁部５ｓ，５ｓに位置する裏面シート３の非肌対向面に吸収部列４１ｆｓを含むように、直線状に一対形成されている。このように本体粘着部６は、ナプキン１Ａにおいては、一対で直線状に形成されているが、ナプキン１Ａの中央部５ｅの吸収部列４１ｆｃにおける排泄部領域Ａに位置するブロック状吸収部４１に対応する位置に形成されていなければよく、一方の本体粘着部６のＹ方向の両端部それぞれと他方の本体粘着部６のＹ方向の両端部それぞれとを繋げて、ナプキン１Ａの周縁部に沿って形成されていてもよい。
【００３８】
本体粘着部６としては、生理用ナプキンなどの吸収性物品に用いられる各種公知の粘着剤を用いることができるが、薄膜状に形成できる観点から、スチレン−エチレン−ブチレン−スチレン共重合体（ＳＥＢＳ）ブロックコポリマー系のホットメルト接着剤を用いることが好ましい。本体粘着部６の塗工量は、２０〜５５ｇ／ｍ2であることが好ましい。
【００３９】
上述した本発明の吸収性物品の第１実施形態である生理用ナプキン１Ａ（以下、「ナプキン１Ａ」ともいう。）を使用した際の作用効果について説明する。
ナプキン１Ａは、図１，図３に示すように、表面シート２及び裏面シート３が、少なくとも長手方向（Ｙ方向）に伸縮性を有しており、吸収構造体４が、個々に独立した多数のブロック状吸収部４１から形成されているので、少なくとも長手方向（Ｙ方向）に伸縮する。また、ナプキン１Ａは、図１，図３に示すように、多数のブロック状吸収部４１が裏面シート３側に強く固定されている強固定領域ＳＴと多数のブロック状吸収部４１が弱く固定されている弱固定領域ＷＴとを備えている。このようにナプキン１Ａは、着用前には、着用者の液排出部（膣口等）に対向する位置に中高な吸収部を備えていないので、ナプキン１Ａを取り付けた下着を着用した着用時に違和感を生じ難い。また、使用中、ナプキン１Ａは、図４（ａ）に示すように、着用者の動きに伴い少なくとも長手方向（Ｙ方向）に、下着と共に伸縮を繰り返す。この際、伸縮性のある表面シート２及び裏面シート３は、長手方向（Ｙ方向）の伸縮に伴って幅方向（Ｘ方向）にも伸縮する。具体的には、図４（ａ）の如く、長手方向（Ｙ方向）に伸びる時には幅方向（Ｘ方向）に収縮する（いわゆる「ネッキング」と呼ばれる現象である）。一方、図４（ｂ）の如く、長手方向（Ｙ方向）に縮む時には幅方向（Ｘ方向）に膨張する。ネッキングと回復に伴う、この幅方向（Ｘ方向）の収縮膨張の変化量は、図４（ａ）、（ｂ）に示す如く、製品中央部（排泄部領域Ａ付近）で非常に大きくなる。更にこの際、伸縮性のないブロック状吸収部４１、中でも弱固定領域ＷＴのブロック状吸収部４１は、裏面シート３の（特にＸ方向の）収縮膨張に追従できないため、固定が外れて裏面シートから動けるようになり、強固定領域ＳＴのブロック状吸収部に押されて中央部（排泄部領域Ａ）に集まりやすい。この傾向は、幅方向（Ｘ方向）変化量の大きい製品長手方向（Ｙ方向）中央部（排泄部領域Ａ）で特に顕著であるため、図４（ｂ）に示すように、弱固定領域ＷＴにある多数のブロック状吸収部４１が移動し易く、図４（ｃ）に示すように、着用者の液排出部（膣口等）に対向する位置に集まり易く、その結果、使用中に漏れが生じ難い。このように、移動可能な多数のブロック状吸収部４１が着用者の液排出部（膣口等）に対向する位置に集まり易い、更なる理由として、ブロック状吸収部４１が体液を吸収することによって、体液を吸収したブロック状吸収部４１の滑りの抵抗値が上がるので、体液の出る着用者の液排出部（膣口等）に対向する位置に移動可能なブロック状吸収部４１が留まり易く、液排出部（膣口等）に対向する位置に多数のブロック状吸収部４１が集まり易いと、本出願の発明者は考えている。
【００４０】
また、ナプキン１Ａは、図１，図３に示すように、長手方向（Ｙ方向）の両側縁部５ｓ，５ｓそれぞれに位置する吸収部列４１ｆｓのブロック状吸収部４１が裏面シート３側に強く固定されており、長手方向（Ｙ方向）の両側縁部５ｓ，５ｓそれぞれに強固定領域ＳＴを形成している。その為、使用中、ナプキン１Ａが、図４（ａ），図４（ｂ）に示すように、着用者の動きに伴い長手方向（Ｙ方向）に伸縮を繰り返すと、両側縁部５ｓ，５ｓの強固定領域ＳＴにある吸収部列４１ｆｓによって、両側縁部５ｓ，５ｓの強固定領域ＳＴの間にある弱固定領域ＷＴの多数のブロック状吸収部４１が幅方向（Ｘ方向）に寄せ集められ易く、図４（ｃ）に示すように、着用者の液排出部（膣口等）に対向する位置に更に集まり易く、使用中に更に漏れが生じ難い。特に、ナプキン１Ａにおいては、本体粘着部６が、図２，図３に示すように、長手方向（Ｙ方向）の両側縁部５ｓ，５ｓそれぞれに位置する吸収部列４１ｆｓに対応する位置に形成されているので、着用者の動きを、下着を介してナプキン１Ａに伝え易く、着用者の動きに伴い伸縮を繰り返し易い。
【００４１】
また、ナプキン１Ａは、図１，図３に示すように、幅方向（Ｘ方向）の中央部５ｅに位置する吸収部列４１ｆｃの多数のブロック状吸収部４１が裏面シート３側に強く固定されており、幅方向（Ｘ方向）の中央部５ｅに強固定領域ＳＴを形成している。その為、使用中、ナプキン１Ａが、図４（ａ），図４（ｂ）に示すように、着用者の動きに伴い長手方向（Ｙ方向）に伸縮を繰り返すと、中央部５ｅの強固定領域ＳＴを軸として、弱固定領域ＷＴの多数のブロック状吸収部４１が、図４（ｃ）に示すように、着用者の液排出部（膣口等）に対向する位置に更に集まり易く、使用中に更に漏れが生じ難い。
【００４２】
次に、本発明の吸収性物品の第２実施形態である生理用ナプキン１Ｂについて、図４〜図５に基づいて説明する。
第２実施形態の生理用ナプキン１Ｂ（以下、「ナプキン１Ｂ」ともいう）については、第１実施形態の生理用ナプキン１Ａと異なる点について説明する。特に説明しない点は、第１実施形態の生理用ナプキン１Ａと同様であり、第１実施形態の生理用ナプキン１Ａの説明が適宜適用される。
【００４３】
ナプキン１Ｂの多数のブロック状吸収部４１も、ナプキン１Ａと同様に、図５，図６に示すように、裏面シート３側にブロック状吸収部４１が強く固定されている強固定領域ＳＴ及びブロック状吸収部４１が弱く固定されている弱固定領域ＷＴを形成し、強固定領域ＳＴは、長手方向（Ｙ方向）の両側縁部５ｓ，５ｓそれぞれに形成されており、弱固定領域ＷＴの多数のブロック状吸収部４１が、使用中に排泄部領域Ａに集まるようになっている。詳述すると、ナプキン１Ｂにおいても、ナプキン１Ａと同様に、ナプキン１Ａの長手方向（Ｙ方向）の両側縁部５ｓ，５ｓそれぞれに位置する吸収部列４１ｆｓのブロック状吸収部４１が、裏面シート３に直接強く固定されており、強固定領域ＳＴが、ナプキン１Ａの長手方向（Ｙ方向）の側縁部５ｓに沿って両側縁部５ｓ，５ｓそれぞれに形成されている。また、ナプキン１Ｂにおいても、ナプキン１Ａと同様に、ナプキン１Ａの幅方向（Ｘ方向）の中央部５ｅに位置する吸収部列４１ｆｃのブロック状吸収部４１が、裏面シート３に直接強く固定されている。
【００４４】
ナプキン１Ｂにおいては、強固定領域ＳＴの多数のブロック状吸収部４１は、図５，図６に示すように、ホットメルト接着剤９を介して裏面シート３に固定されることにより強く固定されている。ホットメルト接着剤９としては、例えばスチレン−イソプレン−スチレンブロック共重合体（ＳＩＳ）、スチレン−ブタジエン−スチレンブロック共重合体（ＳＢＳ）、スチレン−エチレン−ブチレン−スチレン共重合体（ＳＥＢＳ）等のブロックコポリマー系のホットメルト接着剤が挙げられる。裏面シート３に固定するホットメルト接着剤９の塗工方法としては、ビード状に塗工する方法、スパイラル状に塗工する方法等が挙げられ、ナプキン１Ｂにおいては、図５に示すように、ホットメルト接着剤９をスパイラル状に塗工している。
【００４５】
ホットメルト接着剤９をスパイラル状に塗工する場合には、各塗工部において１０〜４５ｇ／ｍ2で塗工することが好ましく、１５〜２５ｇ／ｍ2で塗工することが更に好ましい。また、各塗工幅は、１０〜３０ｍｍであることが好ましく、１２〜２０ｍｍであることが更に好ましい。また幅方向（Ｘ方向）に隣り合う塗工部同士の間隔は、５ｍｍ以上であることが好ましく、７〜１２ｍｍであることが更に好ましい。
ホットメルト接着剤９をビード状に塗工する場合には、各塗工部において２０〜４５０ｇ／ｍ2で塗工することが好ましい。また、各塗工幅は、２〜８ｍｍであることが好ましく、３〜６ｍｍであることが更に好ましい。また幅方向（Ｘ方向）に隣り合う塗工部同士の間隔は、５ｍｍ以上であることが好ましく、１０〜２０ｍｍであることが更に好ましい。
【００４６】
ナプキン１Ｂにおいては、図５に示すように、ホットメルト接着剤９をスパイラル状に塗工して強固定領域ＳＴを形成している。具体的には、ナプキン１Ａの長手方向（Ｙ方向）の両側縁部５ｓ，５ｓに位置する吸収部列４１ｆｓを形成する各ブロック状吸収部４１の面積の半分以上の面積にホットメルト接着剤９がかかるように、ホットメルト接着剤９をスパイラル状に塗工してブロック状吸収部４１を裏面シート３に強く固定して強固定領域ＳＴを形成している。また、ナプキン１Ａの幅方向（Ｘ方向）の中央部５ｅに位置する吸収部列４１ｆｃを形成する各ブロック状吸収部４１の面積の半分以上の面積にホットメルト接着剤９がかかるように、ホットメルト接着剤９をスパイラル状に塗工してブロック状吸収部４１を裏面シート３に強く固定して強固定領域ＳＴを形成している。尚、ブロック状吸収部４１を裏面シート３に更に強く固定して強固定領域ＳＴを形成するために、ナプキン１Ａのシール方法を併用してもよい。
【００４７】
また、ナプキン１Ｂにおいては、図５に示すように、ホットメルト接着剤９をスパイラル状に塗工して弱固定領域ＷＴも形成している。具体的には、ナプキン１Ａの長手方向（Ｙ方向）の両側縁部５ｓ，５ｓに位置する吸収部列４１ｆｓに隣り合う吸収部列４１ｆを形成する各ブロック状吸収部４１の面積の１／３より小さい面積にホットメルト接着剤９がかかるように、ホットメルト接着剤９をスパイラル状に塗工してブロック状吸収部４１を裏面シート３に固定して弱固定領域ＷＴを形成している。また、ナプキン１Ａの幅方向（Ｘ方向）の中央部５ｅに位置する吸収部列４１ｆｃに隣り合う吸収部列４１ｆを形成する各ブロック状吸収部４１の面積の１／３より小さい面積にホットメルト接着剤９がかかるように、ホットメルト接着剤９をスパイラル状に塗工してブロック状吸収部４１を裏面シート３に固定して弱固定領域ＷＴを形成している。
【００４８】
第２実施形態の生理用ナプキン１Ｂの形成材料について説明する。第２実施形態の生理用ナプキン１Ｂについては、第１実施形態の生理用ナプキン１Ａの形成材料と同様である。
【００４９】
上述した本発明の第２実施形態の生理用ナプキン１Ｂを使用した際の作用効果について説明する。
第２実施形態の生理用ナプキン１Ｂの効果については、第１実施形態の生理用ナプキン１Ａの効果と異なる点について説明する。特に説明しない点は、第１実施形態の生理用ナプキン１Ａの効果と同様であり、第１実施形態の生理用ナプキン１Ａの効果の説明が適宜適用される。
【００５０】
ナプキン１Ｂにおいては、図５，図６に示すように、強固定領域ＳＴも弱固定領域ＷＴも、ホットメルト接着剤９を塗工してブロック状吸収部４１を裏面シート３に固定することにより形成している。そのため、使用前に弱固定領域ＷＴの多数のブロック状吸収部４１が移動することがなく、ナプキン１Ｂを取り付けた下着を着用した着用時に違和感を生じ難い。また、使用中、ナプキン１Ｂは、ナプキン１Ａと同様に、着用者の動きに伴い少なくとも長手方向（Ｙ方向）に伸縮を繰り返すため、弱固定領域ＷＴにある多数のブロック状吸収部４１が移動し易く、着用者の液排出部（膣口等）に対向する位置に集まり易く、その結果、使用中に漏れが生じ難い。このように、ナプキン１Ｂの弱固定領域ＷＴにある多数のブロック状吸収部４１が移動し易い理由として、ブロック状吸収部４１の備える高吸収性ポリマーが体液を吸収することによって、高吸収性ポリマーが膨潤し、ブロック状吸収部４１が裏面シート３から剥がれ易いと、本出願の発明者は考えている。このように剥がれた弱固定領域ＷＴの多数のブロック状吸収部４１は、ナプキン１Ａと同様な理由により、体液の出る着用者の液排出部（膣口等）に対向する位置に留まり易く、ナプキン１Ｂの使用中に漏れが生じ難い。
【００５１】
上述したように、高吸収性ポリマーの膨潤によってブロック状吸収部４１を裏面シート３から剥がす観点から、ブロック状吸収部４１は、高吸収性ポリマーの分布が裏面シート３側にリッチとなるように形成されていることが好ましい。このような高吸収性ポリマーが裏面シート３側にリッチに分布したブロック状吸収部４１は、繊維材料と高吸収性ポリマーとを混合積繊する際に、高吸収性ポリマーの混合位置を可能な限り下流側に配し、高吸収性ポリマーの混合側を裏面シート３側に対向するようにナプキン１Ｂを製造することにより形成できる。また、ブロック状吸収部４１を２層の繊維材料から形成し、裏面シート３側の繊維材料の高吸収性ポリマーをリッチに混合積繊することにより形成できる。
【００５２】
本発明の吸収性物品は、上述の第１，第２実施形態の生理用ナプキンに何ら制限されるものではなく、適宜変更可能である。また、上述の第１，第２実施形態の生理用ナプキンにおける各構成要件は、本発明の趣旨を損なわない範囲で、適宜組み合わせて実施できる。
【００５３】
例えば、上述の第１，第２実施形態の生理用ナプキン１Ａ，１Ｂの裏面シート３に、エラストマー樹脂に積極的に炭酸カルシウム等のフィラーを導入して形成されたシート（図７（ａ）参照）を用いることが好ましい。導入されるフィラーは、４０〜６０重量％であることが好ましく、混合されるエラストマー樹脂は、３４〜６０重量％であることが好ましい。このような裏面シート３の目付は、２０〜６０ｇ／ｍ2であることが好ましい。このように積極的にフィラーを導入して形成された裏面シート３を用いた生理用ナプキンによれば、図７（ａ）〜図７（ｃ）に示すように、フィラー表面露出の状態が伸張時（図７（ｂ）参照）と収縮時（図７（ｃ）参照）で異なるのに伴い、裏面シート３の摩擦係数（ブロック状吸収部４１のくっつけやすさ）が変化する。具体的には、長手方向（Ｙ方向）への伸張時（幅方向（Ｘ方向）には収縮する方向、図７（ｂ）参照）では、平滑なフィルム面の露出面積が大きく、ブロック状吸収部４１をくっつけやすい為、幅方向（Ｘ方向）中央にブロック状吸収部４１を掃き寄せやすいが、長手方向（Ｙ方向）への収縮時（幅方向（Ｘ方向）には膨張する方向、図７（ｃ）参照）では、凹凸の大きいフィラー部分との接触が大きくなって（摩擦が小さく、ブロック状吸収部４１が外れやすい）、ブロック状吸収部４１がそのままの位置に留まりやすい。即ちフィラーを積極的に有するフィルムを、裏面シート３に用いれば、フィルムの伸縮によって一方通行的に中央部（排泄部領域Ａ付近）にブロック状吸収部４１が集まりやすいので好ましい。
【００５４】
また、上述の第１，第２実施形態の生理用ナプキン１Ａ，１Ｂにおいては、ブロック状吸収部４１を裏面シート３に直接固定しているが、ブロック状吸収部４１と裏面シート３との間にブロック状吸収部４１の基板となるシートを配し、該シートを介してブロック状吸収部４１を裏面シート３側に固定していてもよい。このような基板となるシートとしては、少なくとも長手方向（Ｙ方向）に伸縮性を有するものであり、長手方向（Ｙ方向）及び幅方向（Ｘ方向）の２方向に伸縮性を有するものであることが好ましく、あらゆる方向に伸縮性を有するものであることが更に好ましい。具体的に、基板となるシートとしては、ウレタン系樹脂とポリプロピレン樹脂とからなる伸縮性のスパンボンド不織布、オレフィン系エラストマー樹脂からなる伸縮性のスパンボンド不織布等が挙げられ、吸収構造体４を形成する多数のブロック状吸収部４１全体に体液を拡散し吸収する観点から、公知の方法により親水化処理したものが好ましく用いられる。また、このような基板となるシートを、ブロック状吸収部４１と裏面シート３との間に配するのみならず、ブロック状吸収部４１と表面シート２との間にも配すれば、更に吸収構造体４を形成する多数のブロック状吸収部４１全体に体液を拡散することができる。
【００５５】
更に、製品長手方向（Ｙ方向）前後部分のブロック状吸収部４１は移動させず、製品長手方向（Ｙ方向）中央部のブロック状吸収部４１のみを積極的に排泄部領域Ａに動かす目的で、製品長手方向（Ｙ方向）中央部のみに強固定領域ＳＴと弱固定領域ＷＴを共存させても良い。この場合、その他の領域は強固定を施す、又はブロック状吸収部が動きにくいように、大きなブロックにまとめる等の方法を用いることができる。
【００５６】
更にまた、ブロック状吸収部４１の移動範囲を規制する為に、表面シート２と裏面シート３又は前記基板シートを一体化固定する条溝を施すことも可能である。条溝は排泄部領域Ａ付近を囲むラウンド状パターンでも良く、モレ防止に関与する両サイドのブロック状吸収部４１の動きを規制する様に、両脇に直線状に配しても良い。
【００５７】
本発明の吸収性物品は、生理用ナプキン以外にも、例えば、失禁者用パッド、パンティーライナー等に好適に用いることができる。
【符号の説明】
【００５８】
１Ａ，１Ｂ  生理用ナプキン（吸収性物品）
２  表面シート
２１  凸部
２２  凹部
３  裏面シート
４  吸収構造体
４１ブロック状吸収部
４１ｆ  吸収部列
５  本体部
５ｓ  長手方向（Ｙ方向）の側縁部
５ｃ  幅方向（Ｘ方向）の中央部
６  本体粘着部
７  周縁シール部
８  シール部
９  ホットメルト接着剤
ＳＴ  強固定領域
ＷＴ  弱固定領域
Ａ  排泄部領域
Ｂ  前方領域
Ｃ  後方領域
【図１】
0005675291.tif 000002
【図２】
0005675291.tif 000003
【図３】
0005675291.tif 000004
【図４】
0005675291.tif 000005
【図５】
0005675291.tif 000006
【図６】
0005675291.tif 000007
【図７】
0005675291.tif 000008